(57)【要約】【課題】特定の組成よりなる天然鉱石を利用し、これを人工的に研磨して一定の形状にし、視覚的に楽しめる商品価値に優れた装飾体を提供する。【解決手段】層面に金の付着した石英層を含む金鉱石を層面の金が可及的に表面に露出した状態に人工研磨することとした。また、前記金鉱石は複数の前記石英層を有するものであり、同複数の石英層が互いに交わる部分を表面に露出させたことや、前記装飾体は球状であること、前記装飾体は板状であること等にも特徴を有する。【選択図】図２
2015217553.tif 000002
【特許請求の範囲】
【請求項１】
層面に金の付着した石英層を含む金鉱石を層面の金が可及的に表面に露出した状態に人工研磨した装飾体。
【請求項２】
前記金鉱石は複数の前記石英層を有するものであり、同複数の石英層が互いに交わる部分を表面に露出させたことを特徴とする請求項１に記載の装飾体。
【請求項３】
前記装飾体は、球状であることを特徴とする請求項１又は請求項２に記載の装飾体。
【請求項４】
前記装飾体は、板状であることを特徴とする請求項１又は請求項２に記載の装飾体。
【請求項５】
金鉱石を粉末状に粉砕し、粉砕鉱石を単独で、又は他の混合材と一体としてプレス成形し、あるいはバインダーで固めて、その後焼成して所定形状に成形した装飾体。
【発明の詳細な説明】
【技術分野】
【０００１】
本発明は、層面に金が付着した石英層を内部に含む金鉱石から造作した装飾体に関する。
【背景技術】
【０００２】
従来、鉱石を研磨して造作した装飾体としては、例えば、御影石や大理石等を用いたものが知られている。
【０００３】
このような鉱石を原料としたタイルや風水盤などの装飾体は、種々の鉱結晶が含まれた鉱石の表面を研磨して外観上美麗な装飾体に仕上げて商品価値を持たせている（例えば、特許文献１参照。）。
【先行技術文献】
【特許文献】
【０００４】
【特許文献１】実開平０６−０２０７２８号公報
【発明の概要】
【発明が解決しようとする課題】
【０００５】
しかしながら、鉱石を装飾体として用いる形態には、特許文献１に記載された考案のほかに、天然鉱石のうち、外観上装飾に耐える形状のものはそのまま用いたものがあるが、いずれにしても自然による造形と人工的な細工との調和に欠け、格別面白味がないため商品価値が今ひとつ乏しい。
【０００６】
また、天然鉱石を原料として他の鉱石や金属、樹脂等と混合して一定形状に成形した装飾体、例えばタイルなどがあるが、自然の色合いや風合いがなく、視覚的な面白味に欠けるといった問題があった。
【０００７】
そこで、本発明は、特定の組成よりなる天然鉱石を利用し、これを人工的に研磨して一定の形状にし、視覚的に楽しめる商品価値に優れた装飾体を提供することを目的とする。
【課題を解決するための手段】
【０００８】
上記目的を達成するため、本発明に係る装飾体では、層面に金の付着した石英層を含む金鉱石を層面の金が可及的に表面に露出した状態に人工研磨した装飾体であることに特徴を有する。
【０００９】
また、本発明に係る装飾体は、以下の点にも特徴を有する。
（１）前記金鉱石は複数の前記石英層を有するものであり、同複数の石英層が互いに交わる部分を表面に露出させたこと。
（２）前記装飾体は、球状であること。
（３）前記装飾体は、板状であること。
【００１０】
また、本発明に係る装飾体では、金鉱石を粉末状に粉砕し、粉砕鉱石を単独で、又は他の混合材と一体としてプレス成形し、あるいはバインダーで固めて、その後焼成して所定形状に成形したことにも特徴を有する。
【発明の効果】
【００１１】
本発明によれば、特定の組成よりなる天然鉱石を利用し、これを人工的に研磨して一定の形状にし、視覚的に楽しめる商品価値に優れた装飾体を提供することができる。
【図面の簡単な説明】
【００１２】
【図１】層面に金の付着した石英層を有する金鉱石における石英層の走向状態を示す説明図である。
【図２】本実施形態に係る球状の装飾体の外観を示した説明図である。
【図３】装飾体中の石英層の構造を示した説明図である。
【図４】球状の装飾体の形成過程を示した説明図である。
【図５】本実施形態に係る板状の装飾体を示した説明図である。
【発明を実施するための形態】
【００１３】
本発明は、層面に金の付着した石英層を含む金鉱石を層面の金が可及的に表面に露出した状態に人工研磨した装飾体を提供するものである。
【００１４】
従来、鉱物由来の貴金属として金や銀、白金などが挙げられるが、中でも金は古来より人心を最も引きつける金属の一つであるとも言われる。
【００１５】
ところが、従来の鉱石を研磨して造作した装飾体は、金等の貴金属が自然な状態かつ積極的に目に見える状態となっているものは無かった。
【００１６】
そこで本発明では、層面に金の付着した石英層を含む金鉱石を用い、装飾体を造作することとしている。
【００１７】
ここで層面とは、石英層を含んだ金鉱石のうち、石英層とその他の鉱物層との境界部分のことを意味する。
【００１８】
また、層面に金の付着した石英層を含む金鉱石とは、金鉱石のうち、サンドイッチの側面部分のように石英層の厚み方向の断面が表出している金鉱石であり、特に、石英層の層面に沿って縁取り状に金が付着した金鉱石のことを意味する。
【００１９】
そして、特に本発明では、このような金鉱石を用いた上で、層面の金が可及的に表面に露出した状態に人工研磨を施した点に特徴を有している。
【００２０】
このような構成とすることにより、天然鉱石、すなわち金鉱石を利用し、これを人工的に研磨して一定の形状にして、従来の研磨された鉱石よりなる装飾体に比して、視覚的に楽しめる商品価値に優れた装飾体を提供することができる。
【００２１】
また、金鉱石は複数の石英層を有するものであり、同複数の石英層が互いに交わる部分を表面に露出させるようにしても良い。すなわち、図１（ａ）に示すように金鉱石１０は一つの石英層１１を含むものであっても良いが、図１（ｂ）に示すように２つ以上の石英層１１が互いに交わる部分（以下、このような部分を石英層交差部１２とも言う。）を表面に露出させることができるものであっても良い。このような構成とすることにより、自然の造形と人工的な細工との調和を更に高めることができ、より趣深い装飾体とすることができる。なお、図１は石英層１１の状態がわかりやすいよう、説明の便宜のために金鉱石を直方体に切り出したものを示している。また、図１において符号１３は金鉱石１０において石英層１１以外の部分を構成する花崗岩や砂岩等よりなる岩石層であり、符号１４は石英層１１と岩石層１３との境界面、すなわち、石英層１１の層面部を示している。
【００２２】
また、装飾体の形状は特に限定されるものではないが、例えば、球状や板状としても良い。
【００２３】
装飾体を球状とすることにより、層面をより幅広状に露出させることができ、石英層と同石英層を縁取る層面とのコントラストをより強調して、装飾体としての趣を向上させることができる。
【００２４】
また、装飾体を板状とすることにより、床や壁に適用可能なタイル等の建築用装飾資材としても使用することができる。
【００２５】
また、金鉱石は必ずしも鉱石そのままの状態（天然による固化状態）で使用する必要はなく、例えば、金鉱石の石英層と、石英層の層面部分と、その他の部分（岩石層１３）との少なくとも３つの部位を個別に粉砕して石英層粉砕物、層面粉砕物、他部粉砕物を得て、これら粉砕鉱石を再成形し焼成して装飾体を造作しても良い。
【００２６】
このような装飾体とすることにより、所望の形状の装飾体を容易に成形することができる。
【００２７】
以下、本実施形態に係る装飾体について、図面を参照しながら説明する。
【００２８】
〔１．球状の装飾体〕
図２は、本実施形態に係る装飾体としての玉Ａ（ぎょく）を用いた置物２０示した説明図であり、図３は図２において二点差線の円で示す石英層１１部分の拡大図である。
【００２９】
置物２０は、座布団状の緩衝体２１上にリング状の載置環２２を配設し、同載置環２２に玉Ａを配置して構成している。
【００３０】
玉Ａは、石英層１１を含む金鉱石１０を人工研磨して形成したものであり、その表面には、石英層１１や石英層交差部１２が露出した状態としている。なお、本実施例において金鉱石１０は、金の粒子が析出した層面を有する石英層１１（石英を主成分とした層）を備えるものであり、蓑刈鉱山などの熱水鉱床で見られる鉱石を用いている。
【００３１】
そして、本実施形態に係る玉Ａに特徴的には、図３の拡大図にて示すように、石英層１１と岩石層１３との境界部分である層面部１４に金が付着しており、この金が表面に露出するように形成している。なお、石英層１１や層面部１４には、金の微粒子や石英以外にも、石英、氷長石、粘土鉱物、銀、エレクトラム（金と銀の合金）、黄銅鉱、黄鉄鉱、閃亜鉛鉱、方鉛鉱、ナウマン鉱等が含まれていても良い。例えば、石英層１１に倒伏した樹木など植物に由来するアルミニウム成分が含まれることにより、同石英層１１が淡い赤色に着色されて、より視覚的な面白味を装飾体に付与することができる。
【００３２】
層面部１４の金は、肉眼にて金色に見える程度のものであっても良いが、微細な粒子で肉眼において黒色に見えるものであっても良い。金色に見える金が露出している場合には、従来の大理石等にて形成された装飾体に比して、この玉Ａの所有者により強い所有感や満足感を感じさせることができる。また、黒色に見える金が露出している場合であっても、この玉Ａの所有者に金に由来する呈色であることを実感させることができ、十分な所有感や満足感を感じさせることができる。
【００３３】
また、玉Ａにあっては球状に加工研磨しているため、層面部１４の露出面積を可及的大きくすることができ、視覚的に楽しめる商品価値に優れた装飾体を提供することができる。
【００３４】
このような玉Ａの形成は、公知の岩石の加工方法に準じて行うことができ、例えば一例として図４に示すように、石英層を含む不定形の金鉱石を原料とし（図４（ａ））、この原料石の表面を所望の直径の球状に近づけるべく荒削りを施して切削体とし（図４（ｂ）及び図４（ｃ））、得られた切削体の表面に対して粗研磨を施し（図４（ｄ））、さらにこの粗研磨体に仕上げ研磨を施すことで玉Ａを得ることができる（図４（ｅ））。なお、本実施例では玉Ａを置物２０として加工する例を示しているが、玉Ａの大きさなどは特に限定されるものではなく、ネックッレスやイヤリングなどの装身具にも利用できる大きさであってもよいのは勿論である。
【００３５】
〔２．板状の装飾体〕
次に他の実施形態に係る装飾体の一例として、板状の装飾体について説明する。本実施形態に係る板状の装飾体は、前述の〔１．球状の装飾体〕にて形成した玉Ａと略同様の構成としているが、その切削形状の違いにより板状としている点で構成を異にしている。図５は、板状の装飾体を示した説明図であり、図５（ａ）に板状の装飾体としてのタイルＢを示し、図５（ｂ）に板状の装飾体としての風水盤Ｃを示す。
【００３６】
具体的には、まず、金鉱石１を所望の大きさの板状に切削する。この際、人目に触れる面（例えば、図５（ａ）に示すタイルＢの上面。以下、化粧面ともいう。）には、層面に金の付着した石英層１１が表面に露出するように切削する。
【００３７】
また、化粧面には、２つ以上の石英層１１が交差して形成された前述の石英層交差部１２が表出するように切削しても良い。
【００３８】
そして、このように切削された板状の金鉱石の化粧面を人工的に研磨することにより、図５（ａ）に示すようなタイルＢを形成することができる。
【００３９】
また、切削された板状の金鉱石は、化粧面に人工研磨を施した後に、化粧面に対してレーザー加工等を施すことにより模様を刻設しても良い。図５（ｂ）は、化粧面にレーザー加工にて風水デザイン４１を施した風水盤Ｃであり、占いに用いたり縁起物として用いられる装飾体とすることができる。
〔３．焼結させた装飾体〕
【００４０】
次に、焼結させた装飾体について説明する。前述の玉ＡやタイルＢ、風水盤Ｃは、鉱山にて得られた鉱石をそのままの状態で切削・研磨加工を施すことにより形成したものであるが、ここで説明する焼結させた装飾体（以下、焼結装飾体Ｄ）は、得られた金鉱石を部位別に一旦粉体化し、得られた粉体を所望の位置に配置しつつ成形して焼成する点で構成を異にしている。
【００４１】
本焼結装飾体Ｄの外観は、玉ＡやタイルＢ、風水盤Ｃと略同様であるが、表面（化粧面）に石英層やその層面により現れる筋状の模様も人工的に、すなわち、制作者の所望するデザインとすることができる点で特徴的である。
【００４２】
このような焼結装飾体Ｄの製造としては、はじめに、金鉱石を粉砕する金鉱石粉砕工程を行う。具体的には、金鉱石の石英層と、石英層の層面部分と、その他の部分（岩石層１３）との少なくとも３つの部位を個別に粉砕して石英層粉砕物、層面粉砕物、他部粉砕物を得る。
【００４３】
これらの各粉砕物は、次に述べる粉砕物配置工程に供しても良いが、必要に応じて粉砕物の結着性を高めるためのバインダー等を添加しても良い。
【００４４】
次に、このようにして調製した粉砕物を、所定の型枠内に配置して所望の模様を形成する粉砕物配置工程を行う。例えば、板状の装飾体の場合、所定の型枠内に石英粉砕物を筋状に配置し、次いで、筋状に配置した石英粉砕物に沿って層面粉砕物を配置し、最後に残余部分を他部粉砕物で充填するように配置するのが望ましい。このような配置法によれば、型枠裏面側から配置した粉砕物を見た際に、石英層粉砕物の筋状の層に沿って縁取り状に層面粉砕物が配置された構造を容易に形成することができる。また、石英粉砕物を筋状に交差させて配置すれば、石英層交差部１２を形成することもできる。
【００４５】
次に、粉砕物が配置された型枠に対してプレス成形を施したり、また、粉砕物に添加したバインダーを反応させて固化させる成型工程を行う。この成形工程は、粉砕物に添加したバインダーに応じた固化反応や、粉砕物の粒径等に応じたプレス圧力を付与することにより、公知の方法を利用して行うことができる。
【００４６】
次に、成型工程にて得られた成形物を焼成する焼成工程を行う。この焼成工程は成型工程にて得られた成形物をより固く焼きしめる為に行うものであり、焼成温度や焼成時間については、その成形物の厚みや大きさ、各粉砕物の割合等に応じて適宜決定することができる。具体的には、公知の焼成技術を用いて、用途に応じた強度が得られる程度に焼成が行われれば良い。
【００４７】
次に、焼成工程を経た焼成物の表面のうち、人目に触れる面（化粧面）に対して人工研磨を施す研磨工程を行う。例えば、前述の玉Ａと同様の球状の装飾体の場合には、表面全体が化粧面であるため全体的に研磨を行う。
【００４８】
また、板状の装飾体の場合、前述の配置法にて粉砕物配置工程が行われたものでれば、型枠裏面側であった面を化粧面として人工研磨を施せば、層面に金の付着した石英層が表面に露出することとなり、趣深く、美麗な装飾体とすることができる。
【００４９】
また、化粧面に対しては、前述の風水盤Ｃと同様、レーザー加工等によって所望のデザインを刻設しても良い。
【００５０】
本焼結装飾体は以上のような構成をもつことにより、人工的な加工を加えているにも関わらず、自然な色合いや風合いを備えている。また、焼結による金属光沢を出すことで、視覚的に面白味が向上する。
【００５１】
上述してきたように、本実施形態に係る装飾体によれば、層面に金の付着した石英層を含む金鉱石を層面の金が可及的に表面に露出した状態に人工研磨したため、特定の組成よりなる天然鉱石を利用し、これを人工的に研磨して一定の形状にし、視覚的に楽しめる商品価値に優れた装飾体を提供することができる。
【００５２】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００５３】
１  金鉱石
１０  金鉱石
１１  石英層
１２  石英層交差部
１３  岩石層
１４  層面部
２０  置物
２１  緩衝体
２２  載置環
４１  風水デザイン
Ａ  玉
Ｂ  タイル
Ｃ  風水盤
Ｄ  焼結装飾体
【図１】
2015217553.tif 000003
【図２】
2015217553.tif 000004
【図３】
2015217553.tif 000005
【図４】
2015217553.tif 000006
【図５】
2015217553.tif 000007